(57)【要約】【課題】建物に生じた不同沈下を施工容易に修正することができる方法を提供する。【解決手段】発泡スチロール製の人工地盤に支承させて建てられ不同沈下を起こした建物を対象とし、人工地盤の上面部の高い部分を熱で除去し、除去した側に建物を自重で沈ませるて、建物の不同沈下を修正する。【選択図】      図１
2006070515.tif 000002
【特許請求の範囲】
【請求項１】
発泡スチロール製の人工地盤に支承させて建てられ不同沈下を起こした建物を対象とし、前記人工地盤の上面部の高い部分を熱で除去し、除去した側に建物を自重で沈ませることを特徴とする建物の不同沈下修正方法。
【請求項２】
発泡スチロール製の人工地盤に支承させて建てられた建物であって、建物の基礎の下面部と発泡スチロール製の人工地盤の上面部との間に発熱体が備えられており、不同沈下で高くなった人工地盤の上面部に備えられている発熱体を発熱させることで、その部分の人工地盤の上面部を溶融により除去し、除去した側に建物を自重で沈ませて建物の不同沈下を修正することができるようになされていることを特徴とする建物。
【発明の詳細な説明】
【技術分野】
【０００１】
本発明は、発泡スチロール製人工地盤を採用する建物の不同沈下修正方法及び建物に関する。
【背景技術】
【０００２】
軟弱地盤などで建物に不同沈下を生じた場合、その修正は、従来、建物に隣接する沈んだ側の地盤を基礎下まで掘削し、そこに、ジャッキを入れて建物を上昇させ、基礎下に杭を打って建物を支持し、土砂を埋め戻すというようにして行われていた。
【特許文献１】特開平８−２０９７２０号公報
【発明の開示】
【発明が解決しようとする課題】
【０００３】
しかしながら、上記のような方法では、地盤を基礎の下法深くまで掘削したり、ジャッキを入れて建物を上昇させる必要があるため、不同沈下の修正工事が非常に厄介であるという問題があった。
【０００４】
本発明は、上記のような従来の問題点に鑑み、建物に生じた不同沈下を施工容易に修正することができる方法及び建物を提供することを課題とする。
【課題を解決するための手段】
【０００５】
上記の課題は、発泡スチロール製の人工地盤に支承させて建てられ不同沈下を起こした建物を対象とし、前記人工地盤の上面部の高い部分を熱で除去し、除去した側に建物を自重で沈ませることを特徴とする建物の不同沈下修正方法によって解決される。
【０００６】
この方法では、建物が発泡スチロール製の人工地盤に支承されているので、地盤を熱で容易に加工することができて、不同沈下による地盤上面部の高い部分を施工容易に除去でき、しかも、除去した側に建物を自重で沈ませることで建物を水平にするものであるから、不同沈下の修正に伴う建物の負担を小さくでき、施工も容易に行うことができる。
【０００７】
また、上記の課題は、発泡スチロール製の人工地盤に支承させて建てられた建物であって、建物の基礎の下面部と発泡スチロール製の人工地盤の上面部との間に発熱体が備えられており、不同沈下で高くなった人工地盤の上面部に備えられている発熱体を発熱させることで、その部分の人工地盤の上面部を溶融により除去し、除去した側に建物を自重で沈ませて建物の不同沈下を修正することができるようになされていることを特徴とする建物によって解決される。
【０００８】
この建物では、建物の基礎の下面部と発泡スチロール製の人工地盤の上面部との間に予め発熱体が備えられているので、建物の不同沈下修正時に、発熱体を基礎の下面側に設置する必要がなく、不同沈下の修正を施工容易に行うことができる。
【発明の効果】
【０００９】
本発明は、以上のとおりのものであるから、建物に生じた不同沈下を施工容易に修正することができる。
【発明を実施するための最良の形態】
【００１０】
次に、本発明の実施最良形態を図面に基づいて説明する。
【００１１】
図１乃至図４に示す第１実施形態において、１は建物であり、建物１は、図１（イ）に示すように、基礎２がコンクリートの布基礎からなり、該基礎２を、地面３に埋め込み状態に設置された発泡スチロール製の人工地盤４に支承させて建てられている。
【００１２】
上記の建物１に、図１（ロ）に示すように、不同沈下を生じた場合は、図１（ハ）に示すように、基礎２の周囲の土砂を除去して人工地盤４を露出させ、図２（ニ）に示すように、人工地盤４の上面部の高い部分を除去する。除去は、例えば、図３（イ）（ロ）に示すような除去機５を用いて行うことができる。
【００１３】
この除去機５は、基礎２の下面側を横方向に延ばされ両端を基礎２のベース部２ａの外方に突出させた状態に配置される発熱バー６と、発熱バー６の両端に取り付けられて基礎２のベース部２ａの側面部を立ち上がる左右の機枠７，７と、各機枠７，７の上端部に取り付けられ、基礎２のベース部２ａの上面に支承されて基礎２の延びる方向に回転して走行する車輪９…とを備え、発熱バー６を基礎２の下に通して、除去機５を、図３（ロ）に示すように、基礎２の延びる方向に移動させていくことにより、基礎２の下の発泡スチロール製の人工地盤４の上面部を熱で除去していくことができるようになされている。なお、機枠７に上下方向の伸縮機能をもたせ、基礎２の下面と発熱バー６との高さ方向の間隔寸法を調節できるようになされてもよい。また、発熱バー６は、例えば、棒の外周に発熱線をコイル状に巻回したものなどからなっている。
【００１４】
この除去機５を、基礎２に沿って図４に示すような範囲において走行させ、図２（ニ）に示すように、人工地盤４の上面部の高くなった部分を除去し、図２（ホ）に示すように、建物１を、除去した側に自重で沈ませれば、建物１は水平に戻り、あとは、図２（ヘ）に示すように、土砂を埋め戻せば修復を完了する。
【００１５】
なお、発熱バー６による発泡スチロール製人工地盤４の上面部の除去は、熱による溶融で行われてもよいし、熱による切断で行われてもよい。また、除去する深さ寸法の調節は、除去機５の速度を変化させたり、発熱バー６の発熱量を変化させたり、機枠７，７を上下に伸縮させることなどによって行われてもよい。
【００１６】
また、建物は、発泡スチロール製人工地盤４の上面部を除去することによって自然に沈ませるようにしてもよいし、あるいは、建物１を予めジャッキ等で支えておき、発泡スチロール製人工地盤４の上面部の高い部分を除去したのち、ジャッキを降ろして建物を沈ませるようにしてもよい。なお、除去機５のセッティングは、人工地盤４の上面部をカッターなどで局部的に切除して基礎２を横断するトンネルを形成し、そこに、発熱バー６を通し、機枠７，７と車輪９，９を発熱バー６に組み付けるようにすればよい。
【００１７】
上記の方法では、建物１が発泡スチロール製の人工地盤４に支承されているので、不同沈下を起こしても、人工地盤４の上面部の高い部分を熱で容易に除去することができ、しかも、建物１を、除去した側に自重で沈ませることで水平にするものであるから、不同沈下の修正に伴う建物１の負担を小さくでき、施工も容易に行うことができる。
【００１８】
図５に示す第２実施形態は、建物の構造についてのもので、基礎２の下面部と発泡スチロール製の人工地盤４の上面部との間に発熱体８が予め備えられている。そして、不同沈下時に、高くなった人工地盤４の上面部に備えられている発熱体８を発熱させることで、その部分の人工地盤４の上面部を溶融により除去し、除去した側に建物１を自重で沈ませて建物１の不同沈下を修正することができるようになされている。この建物では、不同沈下修正時に、発熱体８を基礎２の下面側に設置する必要がなく、不同沈下の修正を施工容易に行うことができる。
【００１９】
以上に、本発明の実施形態を示したが、本発明はこれに限られるものではなく、発明思想を逸脱しない範囲で各種の変更が可能である。例えば、上記の実施形態では、発熱バー６を備えた除去機５や、建物に予め備えさせた発熱体８で、発泡スチロール製の人工地盤の上面部を除去する場合を示したが、その他の方法で除去するようにしてもよく、要は、熱を用いた除去方法であればよい。また、本発明の構成要件である発泡スチロール製の人工地盤は、浮き基礎のように作用するものであってもよいし、そうでなくてもよい。
【図面の簡単な説明】
【００２０】
【図１】図（イ）〜図（ハ）は、図２（ニ）〜（ヘ）とともに、第１実施形態の不同沈下の修正方法を順次に示す断面正面図である。
【図２】図（ニ）〜図（ヘ）は、図１（イ）〜（ハ）とともに、第１実施形態の不同沈下の修正方法を順次に示す断面正面図である。
【図３】第１実施形態の方法において使用する除去機の作動状態を示すもので、図（イ）は正面図、図（ロ）は側面図である。
【図４】除去機で除去する範囲を示す基礎と人工地盤の平面図である。
【図５】第２実施形態の建物を示す断面正面図である。
【符号の説明】
【００２１】
１…建物
２…基礎
４…発泡スチロール製人工地盤
６…発熱バー
８…発熱体
【図１】
2006070515.tif 000003
【図２】
2006070515.tif 000004
【図３】
2006070515.tif 000005
【図４】
2006070515.tif 000006
【図５】
2006070515.tif 000007